(57)【要約】【課題】      係止爪の人手による押し込みを阻止した盗難防止ケースを提供する。【解決手段】  箱体１と蓋体４とからなる陳列ケースＫの所要位置に設けてある挿入口から前記ケースに設けてある挿入路としてのガイド手段により案内される挿入部材１３を挿入すると共に、この挿入部材と上記箱体及び蓋体とに掛合関係によって上記ケースの開放阻止の掛合手段を設け、また上記挿入部材のスライド線上に挿入にともない復元力に抗して押し戻される複数の磁吸されない係止爪１７を設け、さらに上記ケースの周壁８、６に上記挿入部材の挿入終了にともない各係止爪が係合関係になる貫通孔１８を設けた盗難防止ケースにおいて、上記貫通孔の上記挿入口側に位置する端の下縁に前記挿入口の反対方向に突出する受部２１を設け、上記係止爪の自由端に上記挿入部材の脱出方向のスライドにともない上記受部上に引っかかる突部２２を設けた構成を採用する。【選択図】    図１
2007050900.tif 000002
【特許請求の範囲】
【請求項１】
箱体と、この箱体の開口を開閉するように前記箱体の一辺にヒンジを介し設けた蓋体とで盗難防止対象物の収納陳列のケースを形成し、このケースの所要位置に設けてある挿入口から前記ケースに設けてある挿入路としてのガイド手段により案内される挿入部材を挿入すると共に、この挿入部材と上記箱体及び蓋体とに掛合関係によって上記ケースの開放阻止の掛合手段を設け、また上記挿入部材のスライド線上に挿入にともない復元力に抗して押し戻される複数の磁吸されない係止爪を設け、さらに上記ケースの周壁に上記挿入部材の挿入終了にともない各係止爪が係合関係になる貫通孔を設けた盗難防止ケースにおいて、上記貫通孔の上記挿入口側に位置する端の下縁に前記挿入口の反対方向に突出する受部を設け、上記係止爪の自由端に上記挿入部材の脱出方向のスライドにともない上記受部上に引っかかる突部を設けたことを特徴とする盗難防止ケース。
【請求項２】
周囲の一面に商品の出し入れ用の開口を有する陳列用のケースと、このケースに上記開口から前記開口の反対方向に設けた挿入路としてのガイド手段と、このガイド手段により案内されてスライドするように設けた挿入部材と、この挿入部材の上記開口側端に前記開口の一部を閉鎖するように設けたストッパと、上記挿入部材のスライド線上に挿入にともない復元力に抗して押し戻されるように設けた複数の磁吸されない係止爪と、上記ケースの周壁に上記挿入部材の挿入終了にともない各係止爪が係合関係になるように設けた貫通孔とからなる盗難防止ケースにおいて、上記貫通孔の上記開口側に位置する端の下縁に前記開口の反対方向に突出する受部を設け、上記係止爪の自由端に上記挿入部材の脱出方向のスライドにともない上記受部上に引っかかる突部を設けたことを特徴とする盗難防止ケース。
【発明の詳細な説明】
【技術分野】
【０００１】
この発明は、ショップに陳列してある例えばディスクやディスクの収納してある収納ケースが盗難に遭うのを防止するケースに関する。
【背景技術】
【０００２】
ショップにディスクの収納したケースを陳列すると、ケースを開放してケース内のディスクの取り出しが可能になるため、盗難に遭う。
【０００３】
そこで、図１３から図１６に示すように、ケース１０１の挿入口１０２からケース１０１内のガイド手段１０３により案内しながら挿入部材１０４を挿入すると共に、この挿入部材１０４と上記ケース１０１を形成する箱体１０５及び蓋体１０６とに設けてある掛合手段１０９の掛合関係によりケース１０１の開放を阻止し、又挿入部材１０４に設けてある複数の係止爪１０７を挿入部材１０４の挿入にともない復元力に抗して押し戻し、挿入部材１０４の挿入終了にともないケース１０１の周壁の各係止爪１０７に合致する貫通孔１０８に復元する係止爪１０７が嵌り込んで、係止爪１０７と貫通孔１０８とが係合関係になる。
【０００４】
この係合関係によってケース１０１に対する挿入部材１０４の抜き取りを阻止すると共に、ケース１０１の開放を阻止して、収納ディスクなどの盗難防止対象物Ｓの盗難を防止する。
【０００５】
また、上記以外に、図１７、１８に示すようにケース１２１の周囲一面に設けてある開口１２２から上記ケース１２１にディスクの収納ケース１２３を入れ、次いでケース１２１の周壁の内側で開口１２２から開口１２２の反対方向にガイド手段１２４により案内しながら挿入部材１２５を挿入しながら、挿入部材１２５の挿入方向の反対側端に設けてあるストッパ１２６により（このストッパ１２６は、図示の場合ヒンジ１２７を介し起伏自在に設けてあり、挿入部材１２５の挿入終了にともないケース１２１内に納まって起伏回動しないように拘束したが、ヒンジ１２７のないものもある）開口１２２の一部を閉鎖して、この閉鎖によりケース１２１に対する収納ケース１２３の取り出しを阻止する。
【０００６】
そして、前述のケース１０１及び挿入部材１０４と同様のケース１２１の周壁と挿入部材１２５とに設けてある貫通孔１０８と係止爪１０７との係合関係によりケース１２１に対し挿入部材１２５の脱出方向のスライドが止まる。
【０００７】
なお、係止爪１０７と貫通孔１０８との係合関係の解除は、ショップ側の解除具を用いる。
【０００８】
解除方式は、各貫通孔１０８に解除具の直列状に並ぶ各突起を押し込む。
【０００９】
すると、突起によって係止爪１０７を押し戻して、貫通孔１０８に対する係止爪１０７の係合が解除される。
【００１０】
また、解除を困難にするために、磁吸されない係止爪１０７に磁吸される係止爪（図示省略）を併設することも知られている。
【発明の開示】
【発明が解決しようとする課題】
【００１１】
ところで、前述の貫通孔と磁吸されない係止爪とからなる係合方式によると、顧客の把持した細い杆材（棒材）の先を貫通孔に嵌入し、そして押し込むことで貫通孔に嵌入して係合関係にある係止爪を押し戻して係合関係がなくなる。
【００１２】
このとき、残る係止爪は、貫通孔に対して係合関係にある。
【００１３】
しかしながら、前述の杆材を用いた係止爪の押し込みを継続しながら、挿入部材の挿入口端やストッパを有する端をつかんで脱出方向に引っ張ると、脱出方向に挿入部材が若干スライドする。
【００１４】
このスライドの許容は、図１６に示すように貫通孔の脱出方向端と係止爪との間に間隙Ｘがあるために起因する。
【００１５】
すると、押し戻し状態にある係止爪の自由端側最突出部分の縁が貫通孔の挿入部材の脱出方向端側端下縁に食い込んで、押え込まれた状態となって、押え込まれた係止爪の復帰を阻止しようとする。
【００１６】
一方、他の係止爪の端縁は、貫通孔の端面に当接する。
【００１７】
この状況下で杆材による係止爪の押し込みを解消しても、上述の食い込み原因によって係止爪の復帰が阻止されたままになっている。
【００１８】
そこで、押入部材の引っ張りを継続しながら、順次係合関係にある係止爪を杆材により無理矢理押し込むと、貫通孔の端面下縁に係止爪の最突出部分の縁が食い込んで押え込まれるので、最後の係止爪の押し込みが終了した状態から挿入部材の脱出方向のスライドが可能になる。
【００１９】
勿論、係止爪が隣の貫通孔に嵌入して係合関係になっても、前述の操作を繰り返す。
【００２０】
その結果、挿入部材の抜き取りができて、ケースの開放阻止がなくなり、又ストッパによる開口の閉鎖がなくなって、収納してあるディスクの取り出しや、収納ケースの抜き取りが可能になって盗難に遭う。
【００２１】
また、各貫通孔に杆材を嵌入して各係止爪を押し込んで、貫通孔と係止爪との係合関係を解除すると共に、この状況下で挿入部材を脱出方向にスライドさせることもできる。
【００２２】
そこで、この発明の課題は、上述の問題を解消した盗難防止ケースを提供することにある。
【課題を解決するための手段】
【００２３】
上記の課題を解決するために、この発明は、箱体と、この箱体の開口を開閉するように前記箱体の一辺にヒンジを介し設けた蓋体とで盗難防止対象物の収納陳列のケースを形成し、このケースの所要位置に設けてある挿入口から前記ケースに設けてある挿入路としてのガイド手段により案内される挿入部材を挿入すると共に、この挿入部材と上記箱体及び蓋体とに掛合関係によって上記ケースの開放阻止の掛合手段を設け、また上記挿入部材のスライド線上に挿入にともない復元力に抗して押し戻される複数の磁吸されない係止爪を設け、さらに上記ケースの周壁に上記挿入部材の挿入終了にともない各係止爪が係合関係になる貫通孔を設けた盗難防止ケースにおいて、上記貫通孔の上記挿入口側に位置する端の下縁に前記挿入口の反対方向に突出する受部を設け、上記係止爪の自由端に上記挿入部材の脱出方向のスライドにともない上記受部上に引っかかる突部を設けた構成を採用する。
【００２４】
また、周囲の一面に商品の出し入れ用の開口を有する陳列用のケースと、このケースに上記開口から前記開口の反対方向に設けた挿入路としてのガイド手段と、このガイド手段により案内されてスライドするように設けた挿入部材と、この挿入部材の上記開口側端に前記開口の一部を閉鎖するように設けたストッパと、上記挿入部材のスライド線上に挿入にともない復元力に抗して押し戻されるように設けた複数の磁吸されない係止爪と、上記ケースの周壁に上記挿入部材の挿入終了にともない各係止爪が係合関係になるように設けた貫通孔とからなる盗難防止ケースにおいて、上記貫通孔の上記開口側に位置する端の下縁に前記開口の反対方向に突出する受部を設け、上記係止爪の自由端に上記挿入部材の脱出方向のスライドにともない上記受部上に引っかかる突部を設けた構成を採用する。
【００２５】
すると、顧客の把持した杆材（棒材）により貫通孔に対し係合関係にある１つの係止爪を押し込んで係合関係を解除すると共に、その状況を維持するように脱出方向に挿入部材を引っ張ると、受部に他の係止爪の突部が乗り込んで、受部と突部が引っかかって、順次杆材による係止爪の押し込みを阻止する。
【発明を実施するための最良の形態】
【００２６】
以下、この発明の実施の形態を添付図面に基づいて説明する。
【００２７】
この発明の第１の実施形態では、図１から図６に示すように、箱体１と、この箱体１の開口２を開閉するように箱体１の一辺にヒンジ３を介し設けた蓋体４とで盗難防止対象物Ａの収納陳列用のケースＫを形成する。
【００２８】
上記の陳列用のケースＫを形成する箱体１は、図示の場合、側壁５と、この側壁５の所要辺縁から連なって側壁５の裏面方向に突出する周壁６とで構成され、陳列ケースＫを形成する蓋体４は、側壁７と、この側壁７の所要辺縁から側壁７の裏面方向に突出する周壁８とで構成され、この両周壁６、８は、図示の場合ヒンジ３に平行する辺を開放縁を突き合わせ、両側の辺を内と外とで重なるようにしたが、限定されず、例えば周壁６、８の片方をカットした構成など周知の箱体と蓋体をヒンジ３を介し開閉自在に連結したものであればよい。要するに盗難防止対象物Ａであるディスクやディスクの収納ケースを収納して陳列することができるケースであればよい。
【００２９】
上記のヒンジ３は、図示の場合、蓋体４のヒンジ側周壁８の開放縁を側壁５の周壁６の存在しない辺縁にヒンジ３用のピンを介し回動自在に連結して形成したが、限定されず、ピンにかえて合成樹脂によりケースを成型する際、成型によりハーフカットのヒンジを設けたり、或いは内と外とで重なり合う両側の周壁６、８の端部同志をピンを介し回動自在に連結してもよい。
【００３０】
また、ケースＫの周面所要位置に設けてある挿入口１１からケースＫに設けてある挿入路としてガイド手段１２により案内される挿入部材１３を挿入すると共に、この挿入部材１３と箱体１及び蓋体４とには、挿入部材１３の挿入にともない掛合関係になってケースＫの開放阻止の掛合手段Ｂが設けてある。
【００３１】
上記のガイド手段１２は、図示の場合側壁５、９の内面で、ヒンジ３に対向して平行する周壁６、８に所定の間隔を存して突出するガイド壁１４を設けて形成したが、限定されず、上記のガイド壁１４を図示周壁８に沿う全長以外に点在的に突出させたり、或いは両方の側壁５、９以外に片方の側壁５又は側壁７から突出させることもでき、又箱体１と蓋体４との周壁６、８の外側で、両側壁５、７の辺縁にそれぞれＬ形のガイド壁を連成して、両ガイド壁の互いに内方に突出壁の開放縁を突き合わせて筒状の挿入路を形成することができる。
【００３２】
このとき、両Ｌ形のガイド壁の内方に突出壁がケースＫの周壁になる。
【００３３】
上記の掛合手段Ｂは、図４に示すように、挿入部材１３の図示上面の両側縁から上方に向けて突出する突出条１５、１５と両周壁８、１０の内面に突出条１５が嵌り込んで噛み合う溝条１６とで構成され、挿入部材１３の挿入にともない突出条１５と溝条１６との嵌り込みにより掛合関係になってケースＫの開放を阻止するようにしたが、上記目的を達成するその他の構成例えば、両周壁６、８に設けた点在的なフック（図示省略）に挿入部材１３を閂状に貫通させてケースＫの開放阻止をはかる構成などであってもよい。
【００３４】
要するに、挿入部材１３の挿入にともない掛合手段Ｂの掛合関係によってケースＫの開放を阻止するようにしてある。
【００３５】
さらに、挿入部材１３には、挿入にともない復元力に抗して押し戻される複数の磁吸されない係止爪１７が、ケースＫの周壁には、挿入部材１３の挿入終了にともない各係止爪１７が合致すると共に、復元力によって係止爪１７が嵌り込んで挿入部材１３の脱出方向のスライドを止める貫通孔１８（周壁の表裏面が貫通する）が設けてある。
【００３６】
上記の貫通孔１８は、図示の場合両周壁６、８の突き合わせ縁を跨いで両周壁６、８に設けたが、限定されず周壁６、８のいずれか片方に設けることもある。
【００３７】
上記の係止爪１７は、図示の場合、合成樹脂による挿入部材１３の成型の際、コ字状のスリット１９′の内側に一体的に設けたが、別部品を固着して設けることもある。
【００３８】
また、各貫通孔１８の挿入口１１側に位置する端の下縁には、挿入口１１の反対方向に突出する受部２１が設けてある。
【００３９】
上記の受部２１は、段付でケースＫの成型の際一体に設けたが、別部材の取付けで設けてもよい。
【００４０】
さらに、係止爪１７の自由端（挿入口１１の方向に向く）には、通常貫通孔１８内で係止爪１７の押し込み時（ショップ側による解除状況下では）受部２１の上面に乗り込むことなく没入し、挿入部材１３の脱出方向の若干のスライドにともない受部２１上に乗り込んで係止爪１７の押し込みを阻止する引っかかりの突部２２が設けてある。
【００４１】
上記の突部２２は、例えば図示の場合係止爪１７に対し一体的に設けてある。
【００４２】
図中Ｔは、挿入部材１３に設けた盗難防止タグで、この盗難防止タグは、ショップの出入口を通過の際検知手段を作用させるもので、周知につき説明を省略する。
【００４３】
上記のように構成すると、挿入部材１３の挿入終了にともない各貫通孔１８に係止爪１７が図５に示すように嵌り込んで、貫通孔１８と係止爪１７との係合関係により挿入部材１３の抜き取りが防止でき、挿入部材１３の挿入状況下でのケースＫの開放を阻止する。
【００４４】
ショップによる上記の阻止解除は、図７に示すように、ショップ側の解除具５１の各突起５２を各貫通孔１８に合致させて、貫通孔１８に突起５２を押し込む。
【００４５】
この押し込みにより図７に示すように各貫通孔１８内の係止爪１７を押し戻して、貫通孔１８と係止爪１７の係合関係が解除される。
【００４６】
次に解除の状況下に、図８に示すように把持した撮み５３を引き寄せて共にスライダ５４をスライドさせると、スライダ５４に挿入部材１３の突片５５が引っかかって抜き取り方向に挿入部材１３をスライドさせ、スライドした挿入部材１３を抜き取る。
【００４７】
抜き取った挿入部材１３は、ショップに回収する。
【００４８】
なお、図１、３、７、８に示すように、磁吸されない係止爪１７に磁吸される係止爪６１を併設して解除を困難にすることもある。
【００４９】
その際、解除具５１の永久磁石６２により磁吸される係止爪６１の鉄片６３を磁吸して、図示の場合ガイド手段１２に設けてある係合部６４から係止爪６１を脱出させて係合関係を解除する。その際、外れた係止爪６１が挿入部材１３の引き抜き時にガイド壁１４の切欠き６５に嵌り込んで（磁吸点の外れによる磁吸解除にともない）、挿入部材１３のスムーズな抜き取りができる。
【００５０】
しかしながら、図５に示すような貫通孔１８と係止爪１７との係合関係の状況下において、顧客の持ち込んだ杆材（棒材）Ｈを貫通孔１８に嵌入して係止爪１７を押し戻しながら、１つの貫通孔１８と係止爪１７との係合関係を解除されたとき、係止爪１７の自由端側の押し込みによる加圧力で挿入部材１３を脱出方向に若干スライドさせるスライド力に変わる。
【００５１】
このスライドによって残る係合関係にある係止爪１７の突部２２が貫通孔１８の受部２１上に図６に示すように乗り込む。
【００５２】
この乗り込みによって次の係止爪１７を杆材Ｈにより押し戻そうとしても、受部２１と突部２２との引っかかりによって係止爪１７の押し込みが阻止され、この阻止は、挿入部材１３の脱出方向の引っ張りによっても起る。
【００５３】
このため、顧客による係止爪１７の押し戻しができなくなって、挿入部材１３の抜き取り防止に効果を発揮する。
【００５４】
この発明の第２の実施形態では、図９から図１２に示すように、周囲の一面に商品Ａ′（この商品Ａは、例えばディスクを収納した収納ケースを示す）の出し入れ用の開口３１を有する陳列用のケースＫ′には、開口３１から開口３１の反対方向に向く挿入路としてのガイド手段３２が設けてあり、このガイド手段３２により案内させて挿入部材３３を挿入する。
【００５５】
そして、挿入部材３３の挿入先行端の反対側端には、挿入部材３３の挿入によって開口３１の一部を閉鎖して商品Ａ′の抜き取り阻止のストッパ３４が設けてある。
【００５６】
上記のストッパ３４は、図示の場合、挿入部材３３の端にヒンジ用のピン３５を介し起伏自在に取付け、このピン３５の部分が挿入路内に納まることよりストッパ３４の起立方向の回動を阻止して、ストッパ３４により開口３１の閉鎖を維持し、ピン３５の部分が挿入路から脱出すると、ストッパ３４が回動可能になって、周知のように挿入部材３３の抜き取りをする必要がないようにしたが、ヒンジのピン３５は限定されない。
【００５７】
上記のガイド手段３２は、第１の実施形態と同様につき説明を省略する。
【００５８】
上記のケースＫ′は、図示の場合、対向する側壁３６、３６と、この側壁３６、３６の対向一辺の縁を除いて連結する周壁３７とで例えば合成樹脂の成型によって形成する。
【００５９】
また、挿入部材３３とケースＫ′の周壁３７とには、複数の磁吸されない係止爪１７と、係止爪１７が係合関係になる貫通孔１８が設けてあり、貫通孔１８には、受部２１が、係止爪１７には、突部２２が設けてある。
【００６０】
上記の突部２２を有する係止爪１７及び受部２１を有する貫通孔１８の構成は、第１の実施形態と同様につき、又作用効果は、第１の実施形態と同様につき説明を省略する。
【００６１】
なお、第２の実施形態においても第１の実施形態と同様に係合部６４を有する磁吸係止爪６１を併設して解除を困難にしたが、かならずしも限定されない。
【００６２】
さらに、周知のように挿入部材１３に閂板（図示省略）を設けて、この閂板をケースＫの箱体１と蓋体４との周壁６、８の切欠きに係合関係になるように、図中Ｔは挿入部材３３に設けた第１の実施形態と同様の盗難防止タグである。
【００６３】
なお、上記係合関係の解除方式は、第１の実施形態と同様につき説明を省略する。
【図面の簡単な説明】
【００６４】
【図１】第１の実施形態を示す分解斜視図
【図２】ケースの斜視図
【図３】縦断側面図
【図４】同縦断正面図
【図５】係止爪と貫通孔との係合関係を示す縦断拡大側面図
【図６】杆材による係止爪の押し込みを示す縦断拡大側面図
【図７】解除を示す縦断側面図
【図８】挿入部材の脱出を示す縦断側面図
【図９】第２の実施形態を示す分解斜視図
【図１０】同縦断拡大側面図
【図１１】同縦断拡大正面図
【図１２】係止爪と貫通孔を示す縦断拡大側面図
【図１３】第１の従来品を示す分解斜視図
【図１４】同縦断拡大側面図
【図１５】同一部切欠正面図
【図１６】係止爪と貫通孔との係合を示す縦断拡大側面図
【図１７】第２の従来品を示す分解斜視図
【図１８】同縦断拡大側面図
【符号の説明】
【００６５】
Ｋ、Ｋ′    ケース
Ａ          盗難防止対象物
Ａ′        商品
Ｂ          掛合手段
Ｃ
１          箱体
２          開口
３          ヒンジ
４          蓋体
５、７      側壁
６、８      周壁
１１        挿入口
１２        ガイド手段
１３        挿入部材
１４        ガイド壁
１５        突出条
１６        溝条
１７        係止爪
１８        貫通孔
１９        スリット
２１        受部
２２        突部
３１        開口
３２        ガイド手段
３３        挿入部材
３４        ストッパ
３５        ピン
【図１】
2007050900.tif 000003
【図２】
2007050900.tif 000004
【図３】
2007050900.tif 000005
【図４】
2007050900.tif 000006
【図５】
2007050900.tif 000007
【図６】
2007050900.tif 000008
【図７】
2007050900.tif 000009
【図８】
2007050900.tif 000010
【図９】
2007050900.tif 000011
【図１０】
2007050900.tif 000012
【図１１】
2007050900.tif 000013
【図１２】
2007050900.tif 000014
【図１３】
2007050900.tif 000015
【図１４】
2007050900.tif 000016
【図１５】
2007050900.tif 000017
【図１６】
2007050900.tif 000018
【図１７】
2007050900.tif 000019
【図１８】
2007050900.tif 000020
【手続補正書】
【提出日】平成17年9月1日(2005.9.1)
【手続補正１】
【補正対象書類名】明細書
【補正対象項目名】全文
【補正方法】変更
【補正の内容】
【発明の詳細な説明】
【技術分野】
【０００１】
この発明は、ショップに陳列してある例えばディスクやディスクの収納してある収納ケースが盗難に遭うのを防止するケースに関する。
【背景技術】
【０００２】
ショップにディスクの収納したケースを陳列すると、ケースを開放してケース内のディスクの取り出しが可能になるため、盗難に遭う。
【０００３】
そこで、図１３から図１６に示すように、ケース１０１の挿入口１０２からケース１０１内のガイド手段１０３により案内しながら挿入部材１０４を挿入すると共に、この挿入部材１０４と上記ケース１０１を形成する箱体１０５及び蓋体１０６とに設けてある掛合手段１０９の掛合関係によりケース１０１の開放を阻止し、又挿入部材１０４に設けてある複数の係止爪１０７を挿入部材１０４の挿入にともない復元力に抗して押し戻し、挿入部材１０４の挿入終了にともないケース１０１の周壁の各係止爪１０７に合致する貫通孔１０８に復元する係止爪１０７が嵌り込んで、係止爪１０７と貫通孔１０８とが係合関係になる。
【０００４】
この係合関係によってケース１０１に対する挿入部材１０４の抜き取りを阻止すると共に、ケース１０１の開放を阻止して、収納ディスクなどの盗難防止対象物Ｓの盗難を防止する。
【０００５】
また、上記以外に、図１７、１８に示すようにケース１２１の周囲一面に設けてある開口１２２から上記ケース１２１にディスクの収納ケース１２３を入れ、次いでケース１２１の周壁の内側で開口１２２から開口１２２の反対方向にガイド手段１２４により案内しながら挿入部材１２５を挿入しながら、挿入部材１２５の挿入方向の反対側端に設けてあるストッパ１２６により（このストッパ１２６は、図示の場合ヒンジ１２７を介し起伏自在に設けてあり、挿入部材１２５の挿入終了にともないケース１２１内に納まって起伏回動しないように拘束したが、ヒンジ１２７のないものもある）開口１２２の一部を閉鎖して、この閉鎖によりケース１２１に対する収納ケース１２３の取り出しを阻止する。
【０００６】
そして、前述のケース１０１及び挿入部材１０４と同様のケース１２１の周壁と挿入部材１２５とに設けてある貫通孔１０８と係止爪１０７との係合関係によりケース１２１に対し挿入部材１２５の脱出方向のスライドが止まる。
【０００７】
なお、係止爪１０７と貫通孔１０８との係合関係の解除は、ショップ側の解除具を用いる。
【０００８】
解除方式は、各貫通孔１０８に解除具の直列状に並ぶ各突起を押し込む。
【０００９】
すると、突起によって係止爪１０７を押し戻して、貫通孔１０８に対する係止爪１０７の係合が解除される。
【００１０】
また、解除を困難にするために、磁吸されない係止爪１０７に磁吸される係止爪（図示省略）を併設することも知られている。
【発明の開示】
【発明が解決しようとする課題】
【００１１】
ところで、前述の貫通孔と磁吸されない係止爪とからなる係合方式によると、顧客の把持した細い杆材（棒材）の先を貫通孔に嵌入し、そして押し込むことで貫通孔に嵌入して係合関係にある係止爪を押し戻して係合関係がなくなる。
【００１２】
このとき、残る係止爪は、貫通孔に対して係合関係にある。
【００１３】
しかしながら、前述の杆材を用いた係止爪の押し込みを継続しながら、挿入部材の挿入口端やストッパを有する端をつかんで脱出方向に引っ張ると、脱出方向に挿入部材が若干スライドする。
【００１４】
このスライドの許容は、図１６に示すように貫通孔の脱出方向端と係止爪との間に間隙Ｘがあるために起因する。
【００１５】
すると、押し戻し状態にある係止爪の自由端側最突出部分の縁が貫通孔の挿入部材の脱出方向端側端下縁に食い込んで、押え込まれた状態となって、押え込まれた係止爪の復帰を阻止しようとする。
【００１６】
一方、他の係止爪の端縁は、貫通孔の端面に当接する。
【００１７】
この状況下で杆材による係止爪の押し込みを解消しても、上述の食い込み原因によって係止爪の復帰が阻止されたままになっている。
【００１８】
そこで、押入部材の引っ張りを継続しながら、順次係合関係にある係止爪を杆材により無理矢理押し込むと、貫通孔の端面下縁に係止爪の最突出部分の縁が食い込んで押え込まれるので、最後の係止爪の押し込みが終了した状態から挿入部材の脱出方向のスライドが可能になる。
【００１９】
勿論、係止爪が隣の貫通孔に嵌入して係合関係になっても、前述の操作を繰り返す。
【００２０】
その結果、挿入部材の抜き取りができて、ケースの開放阻止がなくなり、又ストッパによる開口の閉鎖がなくなって、収納してあるディスクの取り出しや、収納ケースの抜き取りが可能になって盗難に遭う。
【００２１】
また、各貫通孔に杆材を嵌入して各係止爪を押し込んで、貫通孔と係止爪との係合関係を解除すると共に、この状況下で挿入部材を脱出方向にスライドさせることもできる。
【００２２】
そこで、この発明の課題は、上述の問題を解消した盗難防止ケースを提供することにある。
【課題を解決するための手段】
【００２３】
上記の課題を解決するために、この発明は、箱体と、この箱体の開口を開閉するように前記箱体の一辺にヒンジを介し設けた蓋体とで盗難防止対象物の収納陳列のケースを形成し、このケースの所要位置に設けてある挿入口から前記ケースに設けてある挿入路としてのガイド手段により案内される挿入部材を挿入すると共に、この挿入部材と上記箱体及び蓋体とに掛合関係によって上記ケースの開放阻止の掛合手段を設け、また上記挿入部材のスライド線上に挿入にともない復元力に抗して押し戻される複数の磁吸されない係止爪を設け、さらに上記ケースの周壁に上記挿入部材の挿入終了にともない各係止爪が係合関係になる貫通孔を設けた盗難防止ケースにおいて、上記貫通孔の上記挿入口側に位置する端の下縁に前記挿入口の反対方向に突出する受部を設け、上記係止爪の自由端に上記挿入部材の脱出方向のスライドにともない上記受部上に引っかかる突部を設けた構成を採用する。
【００２４】
また、周囲の一面に商品の出し入れ用の開口を有する陳列用のケースと、このケースに上記開口から前記開口の反対方向に設けた挿入路としてのガイド手段と、このガイド手段により案内されてスライドするように設けた挿入部材と、この挿入部材の上記開口側端に前記開口の一部を閉鎖するように設けたストッパと、上記挿入部材のスライド線上に挿入にともない復元力に抗して押し戻されるように設けた複数の磁吸されない係止爪と、上記ケースの周壁に上記挿入部材の挿入終了にともない各係止爪が係合関係になるように設けた貫通孔とからなる盗難防止ケースにおいて、上記貫通孔の上記開口側に位置する端の下縁に前記開口の反対方向に突出する受部を設け、上記係止爪の自由端に上記挿入部材の脱出方向のスライドにともない上記受部上に引っかかる突部を設けた構成を採用する。
【発明の効果】
【００２５】
以上のように、この発明の盗難防止ケースによれば、顧客の把持した杆材（棒材）により貫通孔に対し係合関係にある１つの係止爪を押し込んで係合関係を解除すると共に、その状況を維持するように脱出方向に挿入部材を引っ張ると、受部に他の係止爪の突部が乗り込んで、受部と突部が引っかかって、順次杆材による係止爪の押し込みを阻止して盗難防止にすぐれた効果を発揮する。
【発明を実施するための最良の形態】
【００２６】
以下、この発明の実施の形態を添付図面に基づいて説明する。
【００２７】
この発明の第１の実施形態では、図１から図６に示すように、箱体１と、この箱体１の開口２を開閉するように箱体１の一辺にヒンジ３を介し設けた蓋体４とで盗難防止対象物Ａの収納陳列用のケースＫを形成する。
【００２８】
上記の陳列用のケースＫを形成する箱体１は、図示の場合、側壁５と、この側壁５の所要辺縁から連なって側壁５の裏面方向に突出する周壁６とで構成され、陳列ケースＫを形成する蓋体４は、側壁７と、この側壁７の所要辺縁から側壁７の裏面方向に突出する周壁８とで構成され、この両周壁６、８は、図示の場合ヒンジ３に平行する辺を開放縁を突き合わせ、両側の辺を内と外とで重なるようにしたが、限定されず、例えば周壁６、８の片方をカットした構成など周知の箱体と蓋体をヒンジ３を介し開閉自在に連結したものであればよい。要するに盗難防止対象物Ａであるディスクやディスクの収納ケースを収納して陳列することができるケースであればよい。
【００２９】
上記のヒンジ３は、図示の場合、蓋体４のヒンジ側周壁８の開放縁を側壁５の周壁６の存在しない辺縁にヒンジ３用のピンを介し回動自在に連結して形成したが、限定されず、ピンにかえて合成樹脂によりケースを成型する際、成型によりハーフカットのヒンジを設けたり、或いは内と外とで重なり合う両側の周壁６、８の端部同志をピンを介し回動自在に連結してもよい。
【００３０】
また、ケースＫの周面所要位置に設けてある挿入口１１からケースＫに設けてある挿入路としてガイド手段１２により案内される挿入部材１３を挿入すると共に、この挿入部材１３と箱体１及び蓋体４とには、挿入部材１３の挿入にともない掛合関係になってケースＫの開放阻止の掛合手段Ｂが設けてある。
【００３１】
上記のガイド手段１２は、図示の場合側壁５、９の内面で、ヒンジ３に対向して平行する周壁６、８に所定の間隔を存して突出するガイド壁１４を設けて形成したが、限定されず、上記のガイド壁１４を図示周壁８に沿う全長以外に点在的に突出させたり、或いは両方の側壁５、９以外に片方の側壁５又は側壁７から突出させることもでき、又箱体１と蓋体４との周壁６、８の外側で、両側壁５、７の辺縁にそれぞれＬ形のガイド壁を連成して、両ガイド壁の互いに内方に突出壁の開放縁を突き合わせて筒状の挿入路を形成することができる。
【００３２】
このとき、両Ｌ形のガイド壁の内方に突出壁がケースＫの周壁になる。
【００３３】
上記の掛合手段Ｂは、図４に示すように、挿入部材１３の図示上面の両側縁から上方に向けて突出する突出条１５、１５と両周壁８、１０の内面に突出条１５が嵌り込んで噛み合う溝条１６とで構成され、挿入部材１３の挿入にともない突出条１５と溝条１６との嵌り込みにより掛合関係になってケースＫの開放を阻止するようにしたが、上記目的を達成するその他の構成例えば、両周壁６、８に設けた点在的なフック（図示省略）に挿入部材１３を閂状に貫通させてケースＫの開放阻止をはかる構成などであってもよい。
【００３４】
要するに、挿入部材１３の挿入にともない掛合手段Ｂの掛合関係によってケースＫの開放を阻止するようにしてある。
【００３５】
さらに、挿入部材１３には、挿入にともない復元力に抗して押し戻される複数の磁吸されない係止爪１７が、ケースＫの周壁には、挿入部材１３の挿入終了にともない各係止爪１７が合致すると共に、復元力によって係止爪１７が嵌り込んで挿入部材１３の脱出方向のスライドを止める貫通孔１８（周壁の表裏面が貫通する）が設けてある。
【００３６】
上記の貫通孔１８は、図示の場合両周壁６、８の突き合わせ縁を跨いで両周壁６、８に設けたが、限定されず周壁６、８のいずれか片方に設けることもある。
【００３７】
上記の係止爪１７は、図示の場合、合成樹脂による挿入部材１３の成型の際、コ字状のスリット１９′の内側に一体的に設けたが、別部品を固着して設けることもある。
【００３８】
また、各貫通孔１８の挿入口１１側に位置する端の下縁には、挿入口１１の反対方向に突出する受部２１が設けてある。
【００３９】
上記の受部２１は、段付でケースＫの成型の際一体に設けたが、別部材の取付けで設けてもよい。
【００４０】
さらに、係止爪１７の自由端（挿入口１１の方向に向く）には、通常貫通孔１８内で係止爪１７の押し込み時（ショップ側による解除状況下では）受部２１の上面に乗り込むことなく没入し、挿入部材１３の脱出方向の若干のスライドにともない受部２１上に乗り込んで係止爪１７の押し込みを阻止する引っかかりの突部２２が設けてある。
【００４１】
上記の突部２２は、例えば図示の場合係止爪１７に対し一体的に設けてある。
【００４２】
図中Ｔは、挿入部材１３に設けた盗難防止タグで、この盗難防止タグは、ショップの出入口を通過の際検知手段を作用させるもので、周知につき説明を省略する。
【００４３】
上記のように構成すると、挿入部材１３の挿入終了にともない各貫通孔１８に係止爪１７が図５に示すように嵌り込んで、貫通孔１８と係止爪１７との係合関係により挿入部材１３の抜き取りが防止でき、挿入部材１３の挿入状況下でのケースＫの開放を阻止する。
【００４４】
ショップによる上記の阻止解除は、図７に示すように、ショップ側の解除具５１の各突起５２を各貫通孔１８に合致させて、貫通孔１８に突起５２を押し込む。
【００４５】
この押し込みにより図７に示すように各貫通孔１８内の係止爪１７を押し戻して、貫通孔１８と係止爪１７の係合関係が解除される。
【００４６】
次に解除の状況下に、図８に示すように把持した撮み５３を引き寄せて共にスライダ５４をスライドさせると、スライダ５４に挿入部材１３の突片５５が引っかかって抜き取り方向に挿入部材１３をスライドさせ、スライドした挿入部材１３を抜き取る。
【００４７】
抜き取った挿入部材１３は、ショップに回収する。
【００４８】
なお、図１、３、７、８に示すように、磁吸されない係止爪１７に磁吸される係止爪６１を併設して解除を困難にすることもある。
【００４９】
その際、解除具５１の永久磁石６２により磁吸される係止爪６１の鉄片６３を磁吸して、図示の場合ガイド手段１２に設けてある係合部６４から係止爪６１を脱出させて係合関係を解除する。その際、外れた係止爪６１が挿入部材１３の引き抜き時にガイド壁１４の切欠き６５に嵌り込んで（磁吸点の外れによる磁吸解除にともない）、挿入部材１３のスムーズな抜き取りができる。
【００５０】
しかしながら、図５に示すような貫通孔１８と係止爪１７との係合関係の状況下において、顧客の持ち込んだ杆材（棒材）Ｈを貫通孔１８に嵌入して係止爪１７を押し戻しながら、１つの貫通孔１８と係止爪１７との係合関係を解除されたとき、係止爪１７の自由端側の押し込みによる加圧力で挿入部材１３を脱出方向に若干スライドさせるスライド力に変わる。
【００５１】
このスライドによって残る係合関係にある係止爪１７の突部２２が貫通孔１８の受部２１上に図６に示すように乗り込む。
【００５２】
この乗り込みによって次の係止爪１７を杆材Ｈにより押し戻そうとしても、受部２１と突部２２との引っかかりによって係止爪１７の押し込みが阻止され、この阻止は、挿入部材１３の脱出方向の引っ張りによっても起る。
【００５３】
このため、顧客による係止爪１７の押し戻しができなくなって、挿入部材１３の抜き取り防止に効果を発揮する。
【００５４】
この発明の第２の実施形態では、図９から図１２に示すように、周囲の一面に商品Ａ′（この商品Ａは、例えばディスクを収納した収納ケースを示す）の出し入れ用の開口３１を有する陳列用のケースＫ′には、開口３１から開口３１の反対方向に向く挿入路としてのガイド手段３２が設けてあり、このガイド手段３２により案内させて挿入部材３３を挿入する。
【００５５】
そして、挿入部材３３の挿入先行端の反対側端には、挿入部材３３の挿入によって開口３１の一部を閉鎖して商品Ａ′の抜き取り阻止のストッパ３４が設けてある。
【００５６】
上記のストッパ３４は、図示の場合、挿入部材３３の端にヒンジ用のピン３５を介し起伏自在に取付け、このピン３５の部分が挿入路内に納まることよりストッパ３４の起立方向の回動を阻止して、ストッパ３４により開口３１の閉鎖を維持し、ピン３５の部分が挿入路から脱出すると、ストッパ３４が回動可能になって、周知のように挿入部材３３の抜き取りをする必要がないようにしたが、ヒンジのピン３５は限定されない。
【００５７】
上記のガイド手段３２は、第１の実施形態と同様につき説明を省略する。
【００５８】
上記のケースＫ′は、図示の場合、対向する側壁３６、３６と、この側壁３６、３６の対向一辺の縁を除いて連結する周壁３７とで例えば合成樹脂の成型によって形成する。
【００５９】
また、挿入部材３３とケースＫ′の周壁３７とには、複数の磁吸されない係止爪１７と、係止爪１７が係合関係になる貫通孔１８が設けてあり、貫通孔１８には、受部２１が、係止爪１７には、突部２２が設けてある。
【００６０】
上記の突部２２を有する係止爪１７及び受部２１を有する貫通孔１８の構成は、第１の実施形態と同様につき、又作用効果は、第１の実施形態と同様につき説明を省略する。
【００６１】
なお、第２の実施形態においても第１の実施形態と同様に係合部６４を有する磁吸係止爪６１を併設して解除を困難にしたが、かならずしも限定されない。
【００６２】
さらに、周知のように挿入部材１３に閂板（図示省略）を設けて、この閂板をケースＫの箱体１と蓋体４との周壁６、８の切欠きに係合関係になるように、図中Ｔは挿入部材３３に設けた第１の実施形態と同様の盗難防止タグである。
【００６３】
なお、上記係合関係の解除方式は、第１の実施形態と同様につき説明を省略する。
【図面の簡単な説明】
【００６４】
【図１】第１の実施形態を示す分解斜視図
【図２】ケースの斜視図
【図３】縦断側面図
【図４】同縦断正面図
【図５】係止爪と貫通孔との係合関係を示す縦断拡大側面図
【図６】杆材による係止爪の押し込みを示す縦断拡大側面図
【図７】解除を示す縦断側面図
【図８】挿入部材の脱出を示す縦断側面図
【図９】第２の実施形態を示す分解斜視図
【図１０】同縦断拡大側面図
【図１１】同縦断拡大正面図
【図１２】係止爪と貫通孔を示す縦断拡大側面図
【図１３】第１の従来品を示す分解斜視図
【図１４】同縦断拡大側面図
【図１５】同一部切欠正面図
【図１６】係止爪と貫通孔との係合を示す縦断拡大側面図
【図１７】第２の従来品を示す分解斜視図
【図１８】同縦断拡大側面図
【符号の説明】
【００６５】
Ｋ、Ｋ′    ケース
Ａ          盗難防止対象物
Ａ′        商品
Ｂ          掛合手段
１          箱体
２          開口
３          ヒンジ
４          蓋体
５、７      側壁
６、８      周壁
１１        挿入口
１２        ガイド手段
１３        挿入部材
１４        ガイド壁
１５        突出条
１６        溝条
１７        係止爪
１８        貫通孔
１９        スリット
２１        受部
２２        突部
３１        開口
３２        ガイド手段
３３        挿入部材
３４        ストッパ
３５        ピン